(57)【要約】【課題】住宅の軒先の改修時に既設の軒樋と簡単に接続することができる軒樋継手を提供することを目的とする。【解決手段】一方の軒樋Ｎの端部を接続する軒樋嵌合部１ａが両端に設けられている軒樋継手Ａであって、両軒樋嵌合部の間が止水壁３によって仕切られ、該止水壁３に他方の軒樋Ｍの端部を保持する切り欠部３１が開口している。また、略Ｌ字状の平面形状に形成され、双方の軒樋Ｎ、Ｍの端部を接続する軒樋嵌合部１０ａ、１０ｃが両端に設けられている軒樋継手Ｂであって、いずれか一方の軒樋嵌合部１０ｃの内部側が止水壁３０によって仕切られ、該止水壁３０に軒樋Ｍの端部を保持する切り欠部３１が開口している。【選択図】      図１
2004293268.tif 000002
【特許請求の範囲】
【請求項１】
一方の軒樋の端部を接続する軒樋嵌合部が両端に設けられている軒樋継手であって、両軒樋嵌合部の間が止水壁によって仕切られ、該止水壁に他方の軒樋の端部を保持する切り欠部が開口していることを特徴とする軒樋継手。
【請求項２】
略Ｌ字状の平面形状に形成され、双方の軒樋の端部を接続する軒樋嵌合部が両端に設けられている軒樋継手であって、いずれか一方の軒樋嵌合部の内部側が止水壁によって仕切られ、該止水壁に軒樋の端部を保持する切り欠部が開口していることを特徴とする軒樋継手。
【請求項３】
仕切壁が着脱可能とされていることを特徴とする請求項１または２記載の軒樋継手。
【発明の詳細な説明】
【０００１】
【発明の属する技術分野】
本発明は、軒樋の端部を相互に接続する軒樋継手に関する。
【０００２】
【従来の技術】
従来から、屋根の軒先において、軒樋を接続する軒樋継手としてジョイント式や曲がり式の継手が知られている。
ジョイント式継手としては、例えば、内継手と外継手とを相互に間隔を開けて結合してその両端部に側方に開口した軒樋を差し込む挿入溝を形成してなるもので、屋根の軒先において、両側の挿入溝に各々側方から双方の軒樋の端部が挿入嵌合され、両軒樋の端部が相互に接続されるものである。（例えば、特許文献１参照。）。
【０００３】
また、曲がり式継手としては、例えば、屋根の軒先の内隅又は外隅に沿うように平面形状略Ｌ字型に形成されており、その両端部は軒と平行方向に開口させてあり、双方の軒樋の端部を差し込む挿込溝が形成されている。（例えば、特許文献２参照。）。
【０００４】
【特許文献１】
実公平５─２３６９５号公報（第１図）
【特許文献２】
実開平６─８２２３９号公報（第１図及び第２図）
【０００５】
【発明が解決しようとする課題】
ところで、住宅の軒先の改修時に既設の軒樋の全部を取り外して新規な軒樋と交換せずに、軒先の目立つ部分や劣化している部分等の一部だけを補修したりすることがある。このとき、既に施工されている軒樋と新規な軒樋とを接続することになる。
【０００６】
例えば、既設の軒樋が半円溝形状の半丸型軒樋で、新規な軒樋が角溝形状の角型軒樋である軒樋同志をジョイント式や曲がり式の継手を介して接続する場合、軒樋の形状が異なるので全く接続することができなかった。
【０００７】
本発明は、このような事情に鑑みて、住宅の軒先の改修時に既設の軒樋と簡単に接続することができる軒樋継手を提供することを目的としている。
【０００８】
【課題を解決するための手段】
このような目的を達成するために、請求項１の軒樋継手は、一方の軒樋の端部を接続する軒樋嵌合部が両端に設けられている軒樋継手であって、両軒樋嵌合部の間が止水壁によって仕切られ、該止水壁に他方の軒樋の端部を保持する切り欠部が開口していることを特徴とした。
【０００９】
請求項２の軒樋継手は、略Ｌ字状の平面形状に形成され、双方の軒樋の端部を接続する軒樋嵌合部が両端に設けられている軒樋継手であって、いずれか一方の軒樋嵌合部の内部側が止水壁によって仕切られ、該止水壁に軒樋の端部を保持する切り欠部が開口していることを特徴とした。
【００１０】
請求項３の軒樋継手は、請求項１または２記載の軒樋継手において、仕切壁が着脱可能とされていることを特徴とした。
【００１１】
【発明の実施の形態】
次に、本発明の実施の形態の一例を、図１〜図１５に基づいて説明する。
【００１２】
図１〜図７は、本発明の軒樋継手の実施の形態の第１実施例を説明する図である。
図において、図１は本発明の軒樋継手の実施形態における第１実施例を示す斜視図、図２は同じく軒樋継手の正面図、図３は同じく軒樋継手の背面図、図４はは本発明の軒樋継手に使用される一方の軒樋を示す断面図、図５は本発明の軒樋継手に使用される他方の軒樋を示す断面図、図６は本発明の軒樋継手の第１実施例における接続使用状態を説明する斜視図、図７は同じく軒先における使用状態を説明する図である。
【００１３】
図１において、この軒樋継手Ａは、Ｉ字状の平面形状に形成され、且つ、略溝型の断面形状に形成されもので通常ジョイントと呼ばれている。このジョイント式の軒樋継手Ａは、図４に示すような角溝形状の角型軒樋Ｎの端部を接続する軒樋嵌合部１ａが両端に設けられた継手本体１と、前記軒樋嵌合部１ａの内面に設けられた軒樋係止片２と、継手本体１の軒樋嵌合部１ａ、１ａの間で堰止めるように仕切られた止水壁３と、継手本体１の上端に設けられた樋耳保持部４、５とから構成されている。
【００１４】
継手本体１は平坦な底壁部１１の両側部から前壁部１２と後壁部１３がそれぞれ立設して形成されており角樋状に屈曲した形状となっている。角型軒樋Ｎが接続される軒樋嵌合部１ａは、継手本体１の底壁部１１と軒樋係止片２とが相互に間隔をあけて開口した挿入溝２１が形成されている。この挿入溝２１は、角型軒樋Ｎの端部を差し込んで係止するもので、底壁部１１の端部が軒樋係止片２の端部よりも長く突出している。
【００１５】
止水壁３は軒樋継手１の軒樋嵌合部１ａ、１ａの間の中央部１ｂに一体に設けられており、この止水壁３の上部は、図５に示すような半丸型軒樋Ｍの端部を保持する切り欠部３１が開口して形成されている。この切り欠部３１の開口形状は軒樋Ｍの外周面が沿うように半円形となされ、切り欠部３１の両端側に軒樋Ｍの両耳部ｍを嵌入する耳嵌合部３２が継手本体１の前壁部１２と後壁部１３の上端に設けられ樋耳保持部４、５に近接して形成されている。
【００１６】
このような軒樋継手Ａは、図６〜７に示すようにして軒樋が接続される。
先ず、改修時に取り替えようとする既設の半丸型軒樋や軒樋継手を屋根の軒先７から取り外して、残された既設の半丸型軒樋Ｍ（他方の軒樋）の端部を、軒樋継手Ａの他方側から止水壁３の切り欠部３１に嵌入するとともに半丸型軒樋Ｍの両耳部ｍを耳嵌合部３２に嵌着させる。
【００１７】
続いて、新規の角型軒樋Ｎ（一方の軒樋）を持って、軒樋継手Ａの一方側から嵌合部１ａの挿入溝２１に差し込んで係止させるとともに、樋耳保持部４、５で軒樋Ｎの左右の耳部４ｎ、５ｎを保持する。この場合、雨水は、既設の半丸型軒樋Ｍ側から新規の角型軒樋Ｎ側に流れて排水されるようになっている。
【００１８】
上記施工手順において、既設の半丸型軒樋Ｍ（他方の軒樋）の端部を軒樋継手Ａに接続してから、新規の角型軒樋Ｎ（一方の軒樋）を軒樋継手Ａに接続したが、新規の角型軒樋Ｎ（一方の軒樋）を軒樋継手Ａに接続してから、既設の半丸型軒樋Ｍ（他方の軒樋）と接続してもよい。
【００１９】
図８〜図１０は本発明の軒樋継手の実施形態における第２実施例をあらわしている。
図８は本発明の軒樋継手の実施形態における第２実施例を示す斜視図、図９は同上軒樋継手の仕切壁の正面図、図１０は継手本体に仕切壁を取付ける状態を説明する断面図である。
【００２０】
この第２実施例の軒樋継手２Ａの場合、図８に示すように、継手本体１と仕切壁３とは分離して着脱可能となっている。なお、上記図１の第１実施例の軒樋継手Ａと同一部分については、同一符号を付して説明は省略する。
【００２１】
この第２実施例の軒樋継手２Ａでは、図１０にも示すように、継手本体１の底壁部１１の中央部に接合溝２ａが設けられており、この接合溝２ａの両側縁には軒樋係止片２がそれぞれ延設しており、継手本体１の底壁部１１と軒樋係止片２とが相互に間隔をあけて開口した挿入溝２１が形成され、角型軒樋Ｎが接続される嵌合部１ａが両端に形成されている。
【００２２】
なお、継手本体１の前壁部１２と後壁部１３の中央部にも内周面に沿って２条のリブ１４を突出することによりそれぞれ接合溝２ｂを形成してもよい。
これら接合溝２ａ、２ｂに接着剤を塗布して、図９に示すような仕切壁３の下縁部を接合溝２ａ、２ｂに差し込んで接合固定すればよい。
【００２３】
このようにして、軒樋継手２Ａは、継手本体１の中央部を止水壁３で仕切って堰止めることによって、既設の半丸型軒樋Ｍ（他方の軒樋）と新規の角型軒樋Ｎ（一方の軒樋）とを接続することができるが、止水壁３を取付けないときは角型軒樋Ｎ同志を接続する通常の軒樋継手として使用することもできる。
【００２４】
図１１〜図１４は本発明の軒樋継手の実施形態における第３実施例をあらわしている。
図１１は本発明の軒樋継手の第３実施例を説明する図で、同図（ａ）  は平面図、同図（ｂ）  は正面図、同図（ｃ）  は側面図、図１２は同じく第３実施例の軒樋継手の施工後の概略平面図、図１３は図１２におけるＣ−Ｃ線矢視の拡大断面図、図１４は図１２におけるＤ−Ｄ線矢視の拡大断面図である。
【００２５】
図１１において、軒樋継手Ｂは、略Ｌ字の平面形状に形成され、且つ、略溝型の断面形状に形成されもので通常曲がりと呼ばれている。この曲がり式の軒樋継手Ｂは、図４及び図５に示すような角型軒樋Ｎと半丸型軒樋Ｍの端部を接続する軒樋嵌合部１０ａ、１０ｃがそれぞれ両端に設けられた継手本体１０と、一方の軒樋嵌合部１０ａの内面に設けられた軒樋係止片２０と、継手本体１０の他方の軒樋嵌合部１０ｃの内面に立設して堰止めるように仕切られた止水壁３０とから構成されている。尚、軒樋嵌合部１０ａの上端には樋耳保持部４０、５０が設けられている。
【００２６】
一方の軒樋Ｎが接続される軒樋嵌合部１０ａは、角樋状に屈曲して形成された継手本体１０の底壁部１１ｂと軒樋係止片２０とが相互に間隔をあけて開口した挿入溝２１が形成されている。この挿入溝２１において、底壁部１１の端部が軒樋係止片２０の端部よりも長く突出している。
【００２７】
また、他方の軒樋Ｍが接続される軒樋嵌合部１０ｃは、同じく角樋溝状に屈曲して形成され、入隅部１０ｂと端部との間に止水壁３０が設けられている。
【００２８】
止水壁３０は、第１実施例と同じように、その上部は図５に示すような半丸型軒樋Ｍの端部を保持する切り欠部３１が開口して形成されている。この切り欠部３１の開口形状は軒樋Ｍの外周面が沿うように同じ半円形となされ、両端側に軒Ｍの両耳部を嵌入する耳嵌合部３２が設けられている。
【００２９】
このような軒樋継手Ｂは、図１２〜１４に示すようにして屋根の軒先の出隅部ｋにおいて軒樋が接続される。
【００３０】
先ず、改修時に取り替えようとする既設の軒樋や軒樋継手を屋根の軒先７から取り外して、残された既設の半丸型軒樋Ｍ（他方の軒樋）の端部を、軒樋継手Ｂの他方側から止水壁３０の切り欠部３１に嵌入するとともに半丸型軒樋Ｍの両耳部ｍを耳嵌合部３２に嵌着させる。
【００３１】
続いて、新規の角型軒樋Ｎ（一方の軒樋）を持って、軒樋継手Ｂの一方側から嵌合部１０ａの挿入溝２１に差し込んで係止させるとともに、樋耳保持部４０、５０で軒樋Ｎの左右の耳部４ｎ、５ｎを保持する。この場合、雨水は、既設の半丸型軒樋Ｍ側から新規の角型軒樋Ｎ側に流れて排水されるようになっている。
【００３２】
この場合も上記施工手順は、新規の角型軒樋Ｎ（一方の軒樋）を軒樋継手Ｂに接続してから、既設の半丸型軒樋Ｍ（他方の軒樋）と逆順に接続してもよい。
【００３３】
図１５は本発明の軒樋継手の実施形態における第４実施例を説明する図で、同図（ａ）  は平面図、同図（ｂ）  は正面図、同図（ｃ）  は側面図である。
この第４実施例の軒樋継手２Ｂの場合、図１５に示すように、軒樋継手２Ｂは、略Ｌ字の平面形状に形成された曲がりで、継手本体１０と仕切壁３とは分離して着脱可能となっている。なお、前記図１１の第１実施例の軒樋継手Ｂと同一部分については、同一符号を付して説明は省略する。
【００３４】
この曲がり式の軒樋継手２Ｂは、継手本体１０の両端に双方の角型軒樋Ｎを接続する軒樋嵌合部１０ａがそれぞれ設けられ、双方の軒樋嵌合部１０ａの内面に軒樋係止片２０が設けられおり、軒樋係止片２０の取付基部に接合溝２ｃが形成されている。
この接合溝２ｃは２条のリブ１４ｂから形成されており、継手本体１０の内周面に沿って、両樋耳保持部４０、５０の下部にまで延設されている。
【００３５】
本実施例の軒樋継手２Ｂを使用するには、いずれか一方の軒樋嵌合部１０ａに形成されている接合溝２ｃに接着剤を塗布して仕切壁３の下縁部を接合溝２ｃに差し込んで接合固定すればよい。
【００３６】
このようにして、軒樋継手２Ｂは、いずれか一方の軒樋嵌合部１０ａを止水壁３で仕切り堰止めることによって、既設の半丸型軒樋Ｍと新規の角型軒樋Ｎとを接続することができるが、止水壁３を取付けないときは角型軒樋Ｎ同志を接続する通常の軒樋継手としても使用することもできる。
【００３７】
以上、本発明の実施の形態を図面により詳述してきたが、具体的な形態はこの実施の形態に限られものではなく、本発明の要旨を逸脱しない範囲における設計の変更等があっても本発明に含まれる。
【００３８】
例えば、第１実施例におけるジョイント式の軒樋継手Ａおいて、いずれか一方の軒樋嵌合部１ａを省いて、止水壁３に切り欠部３１が形成された止まり式継手としてもい。
【００３９】
また、新規の角型軒樋Ｎ（一方の軒樋）を５〜１０ｃｍ程度の短尺に切断した短尺樋をジョイント式の軒樋継手Ａに接続したものを使用すれば、角型軒樋専用の曲がり式継手と併用可能となり、左右勝手の専用部品が不要となる。
【００４０】
軒樋継手Ｂまたは２Ｂは、屋根の軒先の出隅部ｋにおいて使用されるタイプであるが、入隅部で使用できるタイプであってもよい。
【００４１】
【発明の効果】
上述の通りであるので、本発明の請求項１記載の軒樋継手によれば、一方の軒樋の端部を接続する軒樋嵌合部が両端に設けられている軒樋継手であって、両軒樋嵌合部の間が止水壁によって仕切られ、該止水壁に他方の軒樋の端部を保持する切り欠部が開口しているので、住宅の軒先の改修時に既設の軒樋と新規の軒樋とを簡単に接続することができる。
【００４２】
本発明の請求項２記載の軒樋継手によれば、略Ｌ字状の平面形状に形成され、双方の軒樋の端部を接続する軒樋嵌合部が両端に設けられている軒樋継手であって、いずれか一方の軒樋嵌合部の内部側が止水壁によって仕切られ、該止水壁に軒樋の端部を保持する切り欠部が開口しているので、住宅の軒先の改修時に出隅部や入隅部で既設の軒樋と新規の軒樋とを簡単に接続することができる。
【００４３】
本発明の請求項３記載の軒樋継手によれば、仕切壁が着脱可能とされていると仕切壁を取り外した状態で使用すれば、通常の軒樋継手として使用でき、専用の軒樋継手が不要となる。
【図面の簡単な説明】
【図１】本発明の軒樋継手の実施形態における第１実施例を示す斜視図である。
【図２】同上軒樋継手の正面図である。
【図３】同じく軒樋継手の背面図である。
【図４】本発明の軒樋継手に使用される一方の軒樋を示す断面図である。
【図５】本発明の軒樋継手に使用される他方の軒樋を示す断面図である。
【図６】本発明の軒樋継手の実施形態における第１実施例の接続使用状態を説明する斜視図である。
【図７】同じく軒先における使用状態を説明する図である。
【図８】本発明の軒樋継手の実施形態における第２実施例を示す斜視図である。
【図９】同上軒樋継手の仕切壁の正面図である。
【図１０】継手本体に仕切壁を取付ける状態を説明する断面図である。
【図１１】本発明の軒樋継手の実施形態における第３実施例を示す図で、同図（ａ）  は平面図、同図（ｂ）  は正面図、同図（ｃ）  は側面図である。
【図１２】第２実施例の軒樋継手の施工後の概略平面図である。
【図１３】図１２におけるＣ−Ｃ線矢視の拡大断面図である。
【図１４】図１２におけるＤ−Ｄ線矢視の拡大断面図である。
【図１５】本発明の軒樋継手の実施形態における第４実施例を示す図で、同図（ａ）  は平面図、同図（ｂ）  は正面図、同図（ｃ）  は側面図である。
【符号の説明】
Ａ、２Ａ    軒樋継手（ジョイント式継手）
Ｂ、２Ｂ    軒樋継手（曲がり式継手）
Ｍ          軒樋（半丸型軒樋）
Ｎ          軒樋（角型軒樋）
１ａ、１ｃ、１０ａ、１０ｃ      嵌合部
１ｂ        中央部
１０ｂ      入隅部
２、２０      軒樋係止片
２１        挿入溝
２ａ、２ｂ、２ｃ  接合溝
３、３０      止水壁
３１        切り欠部
【図１】
2004293268.tif 000003
【図２】
2004293268.tif 000004
【図３】
2004293268.tif 000005
【図４】
2004293268.tif 000006
【図５】
2004293268.tif 000007
【図６】
2004293268.tif 000008
【図７】
2004293268.tif 000009
【図８】
2004293268.tif 000010
【図９】
2004293268.tif 000011
【図１０】
2004293268.tif 000012
【図１１】
2004293268.tif 000013
【図１２】
2004293268.tif 000014
【図１３】
2004293268.tif 000015
【図１４】
2004293268.tif 000016
【図１５】
2004293268.tif 000017